(57)【要約】【課題】  あるコンテンツに対して開示情報を付加することにより、そのコンテンツに類似する別のコンテンツにも同様の開示情報を付加することができるコンテンツ管理システム、コンテンツ管理装置、コンテンツ管理方法およびプログラムを提供する。【解決手段】  コンテンツ登録手段によりコンテンツが登録される際に開示情報付加手段によって登録するコンテンツに対して開示情報が付加されると、メタ情報から類似するコンテンツを検索するコンテンツ検索手段が既にシステムによって管理されているコンテンツから登録されるコンテンツと類似するものを検索し、開示情報変更手段が開示情報付加手段によって付加された開示情報と同じレベルに検索結果のコンテンツの開示情報を変更する。【選択図】  図１
2006343799.tif 000002
【特許請求の範囲】
【請求項１】
メタ情報の付加された複合コンテンツを管理するコンテンツ管理システムであって、
コンテンツ登録を行なうコンテンツ登録手段と、
登録するコンテンツに対して開示情報を付加する開示情報付加手段と、
メタ情報から類似するコンテンツを検索するコンテンツ検索手段と、
コンテンツに付加されている前記開示情報を変更する開示情報変更手段と、を備え、
前記コンテンツ登録手段によりコンテンツが登録される際に前記開示情報付加手段によって開示情報が付加されると、前記コンテンツ検索手段が既にシステムによって管理されているコンテンツから登録されるコンテンツと類似するものを検索し、前記開示情報変更手段が前記開示情報付加手段によって付加された開示情報と同じレベルに検索結果のコンテンツの前記開示情報を変更することを特徴とするコンテンツ管理システム。
【請求項２】
前記開示情報付加手段は、登録するコンテンツの一部分に対して前記開示情報を付加し、
前記コンテンツ検索手段は前記開示情報が付加された一部分と類似する部分を持つコンテンツを検索し、
前記開示情報変更手段は、類似する部分についての前記開示情報を変更することを特徴とする請求項１記載のコンテンツ管理システム。
【請求項３】
開示情報変更確認手段をさらに備え、
前記開示情報変更確認手段は、前記コンテンツ検索手段が検索したコンテンツについて、コンテンツの前記開示情報の変更の確認を行なうことを特徴とする請求項１または２記載のコンテンツ管理システム。
【請求項４】
前記開示情報変更手段は、検索された類似コンテンツにおいて、前記開示情報が付加されていないコンテンツ、または登録されるコンテンツより緩やかな開示情報が付加されているコンテンツについてのみ、登録されるコンテンツと同じレベルへ前記開示情報を変更することを特徴とする請求項１または２記載のコンテンツ管理システム。
【請求項５】
開示情報変更受信手段をさらに備え、
前記開示情報変更受信手段は、既に登録されているコンテンツに対する開示情報変更要求を受け取り、
前記開示情報変更手段は、開示情報変更要求がなされたコンテンツと類似するコンテンツの開示情報を、すべて開示情報変更要求がなされたコンテンツと同じレベルへ変更することを特徴とする請求項１から４のいずれか１項に記載のコンテンツ管理システム。
【請求項６】
メタ情報の付加された複合コンテンツを管理するコンテンツ管理システムであって、
コンテンツ登録を行なうコンテンツ登録手段と、
登録するコンテンツに対して開示情報を付加する開示情報付加手段と、
メタ情報から類似するコンテンツを検索するコンテンツ検索手段と、
コンテンツに付加されている前記開示情報を変更する開示情報変更手段と、を備え、
前記コンテンツ登録手段によりコンテンツが登録される際に前記開示情報付加手段によって開示情報が付加されると、前記コンテンツ検索手段が既にシステムによって管理されているコンテンツから登録されるコンテンツと類似するものを検索し、前記開示情報変更手段が前記開示情報付加手段によって付加された開示情報と同じレベルに検索結果のコンテンツの前記開示情報を変更することを特徴とするコンテンツ管理装置。
【請求項７】
前記開示情報付加手段は、登録するコンテンツの一部分に対して前記開示情報を付加し、
前記コンテンツ検索手段は前記開示情報が付加された一部分と類似する部分を持つコンテンツを検索し、
前記開示情報変更手段は、類似する部分についての前記開示情報を変更することを特徴とする請求項６載のコンテンツ管理装置。
【請求項８】
開示情報変更確認手段をさらに備え、
前記開示情報変更確認手段は、前記コンテンツ検索手段が検索したコンテンツについて、コンテンツの前記開示情報の変更の確認を行なうことを特徴とする請求項１または７載のコンテンツ管理装置。
【請求項９】
前記開示情報変更手段は、検索された類似コンテンツにおいて、前記開示情報が付加されていないコンテンツ、または登録されるコンテンツより緩やかな開示情報が付加されているコンテンツについてのみ、登録されるコンテンツと同じレベルへ前記開示情報を変更することを特徴とする請求項１または７載のコンテンツ管理装置。
【請求項１０】
開示情報変更受信手段をさらに備え、
前記開示情報変更受信手段は、既に登録されているコンテンツに対する開示情報変更要求を受け取り、
前記開示情報変更手段は、開示情報変更要求がなされたコンテンツと類似するコンテンツの開示情報を、すべて開示情報変更要求がなされたコンテンツと同じレベルへ変更することを特徴とする請求項１から９いずれか１項に記載のコンテンツ管理装置。
【請求項１１】
メタ情報の付加された複合コンテンツを管理するコンテンツ管理方法であって、
コンテンツ登録手段によりコンテンツが登録される際に開示情報付加手段によって登録するコンテンツに対して開示情報が付加されると、メタ情報から類似するコンテンツを検索するコンテンツ検索手段が既にシステムによって管理されているコンテンツから登録されるコンテンツと類似するものを検索するステップと、
開示情報変更手段が前記開示情報付加手段によって付加された開示情報と同じレベルに検索結果のコンテンツの前記開示情報を変更するステップと、を有することを特徴とするコンテンツ管理方法。
【請求項１２】
前記開示情報付加手段は、登録するコンテンツの一部分に対して前記開示情報を付加し、
前記コンテンツ検索手段は前記開示情報が付加された一部分と類似する部分を持つコンテンツを検索し、
前記開示情報変更手段は、類似する部分についての前記開示情報を変更することを特徴とする請求項１１載のコンテンツ管理方法。
【請求項１３】
開示情報変更確認手段が、前記コンテンツ検索手段が検索したコンテンツについて、コンテンツの前記開示情報の変更の確認を行なうステップをさらに有することを特徴とする請求項１１または１２記載のコンテンツ管理方法。
【請求項１４】
前記開示情報変更手段が、検索された類似コンテンツにおいて、前記開示情報が付加されていないコンテンツ、または登録されるコンテンツより緩やかな開示情報が付加されているコンテンツについてのみ、登録されるコンテンツと同じレベルへ前記開示情報を変更することを特徴とする請求項１１または１２記載のコンテンツ管理方法。
【請求項１５】
開示情報変更受信手段が、既に登録されているコンテンツに対する開示情報変更要求を受け取るステップを有し、
前記開示情報変更手段が開示情報変更要求がなされたコンテンツと類似するコンテンツの開示情報を、すべて開示情報変更要求がなされたコンテンツと同じレベルへ変更するステップを有することを特徴とする請求項１１から１４のいずれか１項に記載のコンテンツ管理方法。
【請求項１６】
コンテンツ登録手段によりコンテンツが登録される際に開示情報付加手段によって登録するコンテンツに対して開示情報が付加されると、メタ情報から類似するコンテンツを検索するコンテンツ検索手段に既にシステムによって管理されているコンテンツから登録されるコンテンツと類似するものを検索させるステップを実行させ、
開示情報変更手段に前記開示情報付加手段によって付加された開示情報と同じレベルに検索結果のコンテンツの前記開示情報を変更させるステップと、を実効させることを特徴とするプログラム。
【請求項１７】
前記開示情報付加手段に、登録するコンテンツの一部分に対して前記開示情報を付加させ、
前記コンテンツ検索手段に、前記開示情報が付加された一部分と類似する部分を持つコンテンツを検索させ、
前記開示情報変更手段に、類似する部分についての前記開示情報を変更させることを特徴とする請求項１６載のプログラム。
【請求項１８】
開示情報変更確認手段に、前記コンテンツ検索手段が検索したコンテンツについて、コンテンツの前記開示情報の変更の確認を行なうステップをさらに実行させることを特徴とする請求項１６または１７記載のプログラム。
【請求項１９】
前記開示情報変更手段に、検索された類似コンテンツにおいて、前記開示情報が付加されていないコンテンツ、または登録されるコンテンツより緩やかな開示情報が付加されているコンテンツについてのみ、登録されるコンテンツと同じレベルへ前記開示情報を変更させることを特徴とする請求項１６または１７記載のプログラム。
【請求項２０】
開示情報変更受信手段に、既に登録されているコンテンツに対する開示情報変更要求を受け取るステップを実行させ、
前記開示情報変更手段に、開示情報変更要求がなされたコンテンツと類似するコンテンツの開示情報を、すべて開示情報変更要求がなされたコンテンツと同じレベルへ変更するステップを実行させることを特徴とする請求項１６から１９のいずれか１項に記載のプログラム。
【発明の詳細な説明】
【技術分野】
【０００１】
本発明は、映像や音声を主体とした複合コンテンツを管理するコンテンツ管理システム、コンテンツ管理装置、コンテンツ管理方法およびプログラムに関する。
【背景技術】
【０００２】
映像や音声を記録する機器の発達と、計算機上で映像や音声を扱うための技術の発達に伴ない、放送分野だけでなく、企業や個人が映像、音声を含むコンテンツを作成、編集、利用する機会が増えつつある。
【０００３】
従来から広く使われている文字や図、絵等の静的コンテンツに比べて、映像や音声等の動的コンテンツは見るものに与える印象が強く、内容によっては作成者の意図をより的確に伝達することが可能である。そのため、最近では企業の事業ＰＲのため等、様々な用途で音声や映像を主体としたコンテンツが作成され、利用されている。
【０００４】
ところで、音声や映像などのコンテンツについては、再生を行なってそれを人間が視聴すればその内容を理解することができるが、計算機がその内容や写っているもの、音の発生源等を自動的に理解することは非常に困難であり、そのため計算機内に大量のコンテンツを保存した状態でその内容により目的のコンテンツを探すことは、文字を主体とした文書の検索に比べると非常に難しい。
【０００５】
これを解決するための技術として、ＭＰＥＧ−７がある。ＭＰＥＧ−７は、メタ情報として映像や音声などのコンテンツに意味情報を付加することにより、コンテンツの意味情報をキーとした検索を可能としている。
【０００６】
映像や音声に意味情報を付加するためには人がこれを視聴し、内容を理解して意味情報を付け加えていく必要があり、手間がかかる作業である。
【０００７】
ここで、書類共用システムは、マルチメディア書類の更新可能な集合を形成することを含み、集合カバーシートは、書類の大きな集合を処理及び分散するのに好都合な媒体を提供し、集合の全部又は一部を印刷することを含む、集合への以後のアクセスに関する技術を包含することで、情報をより効果的に共用し、その情報へアクセスするためにコンピュータを利用するする技術が提案されている（例えば、特許文献１参照）。
【０００８】
また、非テキスト系コンテンツに対して意味情報を付加すると、類似する情報を含んだテキスト系コンテンツを検索し、そこに含まれるメタ情報を非テキスト系コンテンツに付加することで、非テキスト系コンテンツのメタ情報を容易に充実させる技術が提案されている（例えば、特許文献２参照）。
【特許文献１】特開２００４−３１８８６７号公報
【特許文献２】特開２００３−６７３９７号公報
【発明の開示】
【発明が解決しようとする課題】
【０００９】
しかしながら、上述した従来例においては次のような問題点があった。
【００１０】
計算機上で映像や音声などのコンテンツが取り扱えるようになり、そこに意味情報が付加できるようになるとコンテンツの利用範囲が広がり、企業や個人が自由に使えるようになるが、特に企業で映像や音声などのコンテンツを利用する場合、その利用場所としてどの範囲がふさわしいかが問題になってくる。
【００１１】
文字からなる文書であれば、作成者が内容から「一部の部署内でのみ利用」、「社内のみで利用」あるいは「広く公開可能」といったレベルで開示範囲を判断し、付加することができるが、映像や音声のコンテンツについてはその判断が難しく、開示範囲の付加も困難である。
【００１２】
本発明はかかる問題点に鑑みてなされたもので、あるコンテンツに対して開示情報を付加することにより、そのコンテンツに類似する別のコンテンツにも同様の開示情報を付加することができるコンテンツ管理システム、コンテンツ管理装置、コンテンツ管理方法およびプログラムを提供することを目的とする。
【課題を解決するための手段】
【００１３】
請求項１記載の発明は、メタ情報の付加された複合コンテンツを管理するコンテンツ管理システムであって、コンテンツ登録を行なうコンテンツ登録手段と、登録するコンテンツに対して開示情報を付加する開示情報付加手段と、メタ情報から類似するコンテンツを検索するコンテンツ検索手段と、コンテンツに付加されている開示情報を変更する開示情報変更手段とを備え、コンテンツ登録手段によりコンテンツが登録される際に開示情報付加手段によって開示情報が付加されると、コンテンツ検索手段が既にシステムによって管理されているコンテンツから登録されるコンテンツと類似するものを検索し、開示情報変更手段が開示情報付加手段によって付加された開示情報と同じレベルに検索結果のコンテンツの開示情報を変更することを特徴とするコンテンツ管理システムである。
【００１４】
請求項２記載の発明は、請求項１記載のコンテンツ管理システムにおいて、開示情報付加手段は、登録するコンテンツの一部分に対して開示情報を付加し、コンテンツ検索手段は開示情報が付加された一部分と類似する部分を持つコンテンツを検索し、開示情報変更手段は、類似する部分についての開示情報を変更することを特徴とする。
【００１５】
請求項３記載の発明は、請求項１または２記載のコンテンツ管理システムにおいて、開示情報変更確認手段をさらに備え、開示情報変更確認手段は、コンテンツ検索手段が検索したコンテンツについて、コンテンツの開示情報の変更の確認を行なうことを特徴とする。
【００１６】
請求項４記載の発明は、請求項１または２記載のコンテンツ管理システムにおいて、開示情報変更手段は、検索された類似コンテンツにおいて、開示情報が付加されていないコンテンツ、または登録されるコンテンツより緩やかな開示情報が付加されているコンテンツについてのみ、登録されるコンテンツと同じレベルへ開示情報を変更することを特徴とする。
【００１７】
請求項５記載の発明は、請求項１から４のいずれか１項に記載のコンテンツ管理システムにおいて、開示情報変更受信手段をさらに備え、開示情報変更受信手段は、既に登録されているコンテンツに対する開示情報変更要求を受け取り、開示情報変更手段は、開示情報変更要求がなされたコンテンツと類似するコンテンツの開示情報を、すべて開示情報変更要求がなされたコンテンツと同じレベルへ変更することを特徴とする。
【００１８】
請求項６記載の発明は、メタ情報の付加された複合コンテンツを管理するコンテンツ管理システムであって、コンテンツ登録を行なうコンテンツ登録手段と、登録するコンテンツに対して開示情報を付加する開示情報付加手段と、メタ情報から類似するコンテンツを検索するコンテンツ検索手段と、コンテンツに付加されている開示情報を変更する開示情報変更手段とを備え、コンテンツ登録手段によりコンテンツが登録される際に開示情報付加手段によって開示情報が付加されると、コンテンツ検索手段が既にシステムによって管理されているコンテンツから登録されるコンテンツと類似するものを検索し、開示情報変更手段が開示情報付加手段によって付加された開示情報と同じレベルに検索結果のコンテンツの開示情報を変更することを特徴とするコンテンツ管理装置である。
【００１９】
請求項７記載の発明は、請求項６載のコンテンツ管理装置において、開示情報付加手段は、登録するコンテンツの一部分に対して開示情報を付加し、コンテンツ検索手段は開示情報が付加された一部分と類似する部分を持つコンテンツを検索し、開示情報変更手段は、類似する部分についての開示情報を変更することを特徴とする。
【００２０】
請求項８記載の発明は、請求項１または７載のコンテンツ管理装置において、開示情報変更確認手段をさらに備え、開示情報変更確認手段は、コンテンツ検索手段が検索したコンテンツについて、コンテンツの開示情報の変更の確認を行なうことを特徴とする。
【００２１】
請求項９記載の発明は、請求項１または７載のコンテンツ管理装置において、開示情報変更手段は、検索された類似コンテンツにおいて、開示情報が付加されていないコンテンツ、または登録されるコンテンツより緩やかな開示情報が付加されているコンテンツについてのみ、登録されるコンテンツと同じレベルへ開示情報を変更することを特徴とする。
【００２２】
請求項１０記載の発明は、請求項１から９いずれか１項に記載のコンテンツ管理装置において、開示情報変更受信手段をさらに備え、開示情報変更受信手段は、既に登録されているコンテンツに対する開示情報変更要求を受け取り、開示情報変更手段は、開示情報変更要求がなされたコンテンツと類似するコンテンツの開示情報を、すべて開示情報変更要求がなされたコンテンツと同じレベルへ変更することを特徴とする。
【００２３】
請求項１１記載の発明は、メタ情報の付加された複合コンテンツを管理するコンテンツ管理方法であって、コンテンツ登録手段によりコンテンツが登録される際に開示情報付加手段によって登録するコンテンツに対して開示情報が付加されると、メタ情報から類似するコンテンツを検索するコンテンツ検索手段が既にシステムによって管理されているコンテンツから登録されるコンテンツと類似するものを検索するステップと、開示情報変更手段が開示情報付加手段によって付加された開示情報と同じレベルに検索結果のコンテンツの開示情報を変更するステップと、を有することを特徴とするコンテンツ管理方法である。
【００２４】
請求項１２記載の発明は、請求項１１載のコンテンツ管理方法において、開示情報付加手段は、登録するコンテンツの一部分に対して開示情報を付加し、コンテンツ検索手段は開示情報が付加された一部分と類似する部分を持つコンテンツを検索し、開示情報変更手段は、類似する部分についての開示情報を変更することを特徴とする。
【００２５】
請求項１３記載の発明は、請求項１１または１２記載のコンテンツ管理方法において、開示情報変更確認手段が、コンテンツ検索手段が検索したコンテンツについて、コンテンツの開示情報の変更の確認を行なうステップをさらに有することを特徴とする。
【００２６】
請求項１４記載の発明は、請求項１１または１２記載のコンテンツ管理方法において、開示情報変更手段が、検索された類似コンテンツにおいて、開示情報が付加されていないコンテンツ、または登録されるコンテンツより緩やかな開示情報が付加されているコンテンツについてのみ、登録されるコンテンツと同じレベルへ開示情報を変更することを特徴とする。
【００２７】
請求項１５記載の発明は、請求項１１から１４のいずれか１項に記載のコンテンツ管理方法において、開示情報変更受信手段が、既に登録されているコンテンツに対する開示情報変更要求を受け取るステップを有し、開示情報変更手段が開示情報変更要求がなされたコンテンツと類似するコンテンツの開示情報を、すべて開示情報変更要求がなされたコンテンツと同じレベルへ変更するステップを有することを特徴とする。
【００２８】
請求項１６記載の発明は、コンテンツ登録手段によりコンテンツが登録される際に開示情報付加手段によって登録するコンテンツに対して開示情報が付加されると、メタ情報から類似するコンテンツを検索するコンテンツ検索手段に既にシステムによって管理されているコンテンツから登録されるコンテンツと類似するものを検索させるステップを実行させ、開示情報変更手段に開示情報付加手段によって付加された開示情報と同じレベルに検索結果のコンテンツの開示情報を変更させるステップとを実効させることを特徴とするプログラムである。
【００２９】
請求項１７記載の発明は、請求項１６載のプログラムにおいて、開示情報付加手段に、登録するコンテンツの一部分に対して開示情報を付加させ、コンテンツ検索手段に、開示情報が付加された一部分と類似する部分を持つコンテンツを検索させ、開示情報変更手段に、類似する部分についての開示情報を変更させることを特徴とする。
【００３０】
請求項１８記載の発明は、請求項１６または１７記載のプログラムにおいて、開示情報変更確認手段に、コンテンツ検索手段が検索したコンテンツについて、コンテンツの開示情報の変更の確認を行なうステップをさらに実行させることを特徴とする。
【００３１】
請求項１９記載の発明は、請求項１６または１７記載のプログラムにおいて、開示情報変更手段に、検索された類似コンテンツにおいて、開示情報が付加されていないコンテンツ、または登録されるコンテンツより緩やかな開示情報が付加されているコンテンツについてのみ、登録されるコンテンツと同じレベルへ開示情報を変更させることを特徴とする。
【００３２】
請求項２０記載の発明は、請求項１６から１９のいずれか１項に記載のプログラムにおいて、開示情報変更受信手段に、既に登録されているコンテンツに対する開示情報変更要求を受け取るステップを実行させ、開示情報変更手段に、開示情報変更要求がなされたコンテンツと類似するコンテンツの開示情報を、すべて開示情報変更要求がなされたコンテンツと同じレベルへ変更するステップを実行させることを特徴とする。
【発明の効果】
【００３３】
本発明のコンテンツ管理システム、コンテンツ管理装置、コンテンツ管理方法およびプログラムによればあるコンテンツに対して開示情報を付加することにより、そのコンテンツに類似する別のコンテンツにも同様の開示情報を付加することができる。
【発明を実施するための最良の形態】
【００３４】
次に、本発明の第１の実施の形態について図を参照して詳細に説明する。
【００３５】
図１を参照すると、本実施の形態におけるコンテンツ管理システムには、新規登録コンテンツと、登録済みコンテンツとがある。
【００３６】
新規登録コンテンツは、コンテンツ管理システムに新たに登録するコンテンツであり、新規登録コンテンツのメタ情報および新規登録コンテンツの開示情報が含まれる。
【００３７】
新規登録コンテンツのメタ情報とは、コンテンツの内容の記述であり、このメタ情報もコンテンツ管理システムに登録される。
【００３８】
新規登録コンテンツの開示情報は、登録時にコンテンツに付加される。
【００３９】
登録済みコンテンツは、コンテンツ管理システムに登録されているコンテンツであり、登録済みコンテンツのメタ情報および登録済みコンテンツの開示情報が含まれる。各々のコンテンツは、メタ情報と開示情報が付加された状態で登録されている。
【００４０】
ここで、コンテンツ登録とは、新規登録コンテンツを、メタ情報とともにコンテンツ管理システムに登録することをいう。
【００４１】
また、開示情報付加とは、新規登録コンテンツに対し、開示情報を付加することをいう。そして、この最新の開示情報を元に、登録済みのコンテンツのうちで内容が類似しているものの開示情報を更新することとする。
【００４２】
類似コンテンツ検索とは、新規登録コンテンツのメタ情報を元に、登録済みコンテンツの中から内容が類似しているコンテンツを検索することをいう。なお、図１では、登録済みコンテンツ２が新規登録コンテンツと類似したコンテンツとして検索された状態を示している。
【００４３】
開示情報取得とは、新規登録コンテンツに付加された開示情報を取得することをいう。
【００４４】
また、開示情報変更とは、例えば、図１に示す例によれば、類似コンテンツ検索で検索された登録済みコンテンツ２の開示情報を、新規登録コンテンツに付加された開示情報と同じになるよう変更することをいう。
【００４５】
以下に、本実施の形態によるコンテンツ管理システムの処理動作について、図を参照して説明する。
【００４６】
図１を参照すると、まず、開示情報付加手段により、新規登録コンテンツに開示情報が付加された後、類似コンテンツ検索部が、新規登録コンテンツのメタ情報と登録済みコンテンツのメタ情報を元に、類似する登録済みコンテンツのメタ情報を検索する。
【００４７】
その後、開示情報取得部が新規登録コンテンツの開示情報を取得し、開示情報変更部が類似する登録済みコンテンツの開示情報の内容を新規登録コンテンツの開示情報と同じになるように変更する。
【００４８】
ここで、図２を参照すると、コンテンツの新規登録は、まず、新規登録コンテンツへのパスの入力欄に新規に登録するコンテンツへのパスを入力し、登録ボタンを押下げすることで、コンテンツが登録される。なお、このとき、新規登録コンテンツに付加されたメタ情報も同時に登録される。そして、図３に示すような開示情報を付加する画面に進む。
【００４９】
図３を参照すると、新規に登録されたコンテンツに開示情報を付加するときには、本管理システムに登録されているユーザー／グループの一覧のリストから、ユーザーやグループを選択し、追加ボタンを押下げすることで、そのユーザーやグループが、新規に登録されたコンテンツを閲覧できるユーザーやグループとして追加され、新規登録コンテンツを閲覧できるユーザー／グループの一覧のリストに表示される。
【００５０】
逆に、新規登録コンテンツを閲覧できるユーザー／グループの一覧のリストからユーザーやグループを選択し、削除ボタンを押下げすることで、そのユーザーやグループが、新規に登録されたコンテンツを閲覧できるユーザーやグループから削除される。
【００５１】
そして、決定ボタンを押下げすることで、開示情報が決定され、図４に示すようなこの新規登録コンテンツに類似した登録済みコンテンツを検索する画面に進む。
【００５２】
図４を参照すると、新規登録コンテンツに付加されたメタ情報と、登録済みコンテンツに付加されたメタ情報から、新規登録コンテンツに類似した登録済みコンテンツを検索する。検索結果は、新規登録コンテンツに類似した登録済みコンテンツのリストに表示される。
【００５３】
そして、これらのコンテンツの開示情報を、新規登録コンテンツの開示情報（図３の新規登録コンテンツを閲覧できるユーザー／グループの一覧の内容）と同じになるように変更する。その変更結果は、登録済みコンテンツを閲覧できるユーザー／グループの一覧のリストに表示される。
【００５４】
上記の実施の形態によれば、新規に登録するコンテンツに付加する開示情報に合わせ、登録済みコンテンツの開示情報を変更することで、コンテンツ管理システムに新規に登録するコンテンツに対して開示情報を付加すると、類似するほかのコンテンツにも同じレベルの開示情報が付加されることとなり、すべてのコンテンツに開示情報を付加しなくてもよく、開示情報の付加とそれによる開示制限を容易に行なうことができる。
【００５５】
次に、本発明の第２の実施の形態について図を参照して詳細に説明する。なお、上記の実施の形態と共通する構成の重複する説明は省略する。
【００５６】
図５を参照すると、本実施の形態におけるコンテンツ管理システムには、新規登録コンテンツの部分と、登録済みコンテンツの部分とがある。
【００５７】
新規登録コンテンツの部分のメタ情報には、コンテンツの部分ごとのコンテンツの各部分の内容の記述が付加されており、このメタ情報もコンテンツ管理システムに登録される。
【００５８】
新規登録コンテンツの開示情報は、登録時にコンテンツの部分ごとに付加される。
【００５９】
登録済みコンテンツについては、各々のコンテンツは、部分ごとにメタ情報と開示情報が付加された状態で登録されている。
【００６０】
ここで、コンテンツ登録とは、新規登録コンテンツを、各部分のメタ情報とともにコンテンツ管理システムに登録することをいう。
【００６１】
また、開示情報付加とは、新規登録コンテンツに対し、部分ごとに開示情報を付加することをいう。そして、この最新の開示情報を元に、登録済みのコンテンツのうちである部分の内容が類似しているものの開示情報を更新する。
【００６２】
類似コンテンツ検索とは、新規登録コンテンツの各部分のメタ情報を元に、登録済みコンテンツの各部分の中から内容が類似しているコンテンツの各部分を検索することをいう。図５は、登録済みコンテンツ１の部分ｎと、登録済みコンテンツ２の部分１と登録済みコンテンツｎの部分２が、新規登録コンテンツの部分２と類似したコンテンツ部分として検索された状態を示すものである。
【００６３】
ここで、開示情報取得とは、図５に示す例では、新規登録コンテンツの部分２に付加された開示情報を取得することをいう。
【００６４】
また、開示情報変更とは、類似コンテンツ検索で検索された登録済みコンテンツ１の部分ｎと、登録済みコンテンツ２の部分１と、登録済みコンテンツｎの部分２の開示情報を、新規登録コンテンツの部分２に付加された開示情報と同じになるよう変更することをいう。
【００６５】
以下に、本実施の形態によるコンテンツ管理システムの処理動作について、図を参照して説明する。
【００６６】
まず、コンテンツの新規登録時に、その一部分に開示情報が付加された後、類似コンテンツ検索部が、新規登録コンテンツの開示情報が付加された部分のメタ情報と登録済みコンテンツの部分のメタ情報を元に、類似する登録済みコンテンツのメタ情報を検索する。
【００６７】
その後、開示情報取得部が新規登録コンテンツの開示情報を取得し、開示情報変更部が類似する登録済みコンテンツの開示情報の内容を新規登録コンテンツの開示情報と同じになるように変更する。
【００６８】
上記の実施の形態によれば、コンテンツ管理システムに登録するコンテンツの一部分に対して開示情報を付加し、それを元に他のコンテンツの部分にも開示情報が付加されることによって、複数の部分（シーン）からなるコンテンツについてきめ細かく開示制限を行なうことができる。
【００６９】
次に、本発明の第３の実施の形態について図を参照して詳細に説明する。なお、上記の実施の形態と共通する構成の重複する説明は省略する。
【００７０】
図６を参照すると、本実施の形態におけるコンテンツ管理システムには、新規登録コンテンツの部分と、登録済みコンテンツの部分とがある。
【００７１】
類似コンテンツ検索とは、新規登録コンテンツのメタ情報を元に、登録済みコンテンツの中から内容が類似しているコンテンツを検索する。図６では、登録済みコンテンツ１と登録済みコンテンツ２が新規登録コンテンツと類似したコンテンツとして検索された状態を示すものである。
【００７２】
開示情報を変更するかについては、類似コンテンツ検索で検索された登録済みコンテンツ１と、登録済みコンテンツ２について、それぞれの開示情報を新規登録コンテンツに付加された開示情報と同じになるよう変更するかを決める。なお、図６では、登録済みコンテンツ２の開示情報を変更するよう指示した状態を示す。
【００７３】
ここで、開示情報変更とは、開示情報を変更するよう指示した登録済みコンテンツ２の開示情報を、新規登録コンテンツに付加された開示情報と同じになるよう変更することをいう。本実施の形態では、上記の各実施の形態に加え、開示情報を変更するかを作業者に確認することを特徴とする。
【００７４】
上記の実施の形態によれば、開示情報を付加したコンテンツに対して、類似するコンテンツについて開示情報を付加する場合に作業者に対して確認を行なうことにより、より正確な開示情報の付加を少ない作業量で容易に行うことができる。
【００７５】
次に、本発明の第４の実施の形態について図を参照して詳細に説明する。なお、上記の実施の形態と共通する構成の重複する説明は省略する。
【００７６】
図７を参照すると、本実施の形態におけるコンテンツ管理システムには、新規登録コンテンツの部分と、登録済みコンテンツの部分とがある。
【００７７】
登録済みコンテンツには、各々のコンテンツのメタ情報が付加された状態で登録されている。
【００７８】
登録済みコンテンツの開示情報については、付加された状態で登録されている場合と付加かされていない状態で登録されている場合がある。
【００７９】
類似コンテンツ検索とは、新規登録コンテンツのメタ情報を元に、登録済みコンテンツの中から内容が類似しているコンテンツを検索することをいう。図７では、登録済みコンテンツ１と、登録済みコンテンツ２と、登録済みコンテンツｎが新規登録コンテンツと類似したコンテンツとして検索された状態を示すものである。
【００８０】
開示情報取得とは、新規登録コンテンツに付加された開示情報を取得することをいう。
【００８１】
開示情報が付加されているかは、類似コンテンツ検索で検索された登録済みコンテンツ１と、登録済みコンテンツ２と、登録済みコンテンツｎについて、それぞれ開示情報が付加されているかを判断する。図７では、登録済みコンテンツ１に開示情報が付加されていない状態が示される。
【００８２】
開示情報付加とは、類似コンテンツ検索で検索された登録済みコンテンツのうちで、開示情報が付加されていない、登録済みコンテンツ１に対して、新規登録コンテンツに付加された開示情報と同じ開示情報を付加することをいう。
【００８３】
開示情報が緩やかか否かは、類似コンテンツ検索で検索された登録済みコンテンツ１と、登録済みコンテンツ２と、登録済みコンテンツｎのうちで、開示情報が付加されている登録済みコンテンツ２と登録済みコンテンツｎについて、それぞれの開示情報が新規登録コンテンツの開示情報より緩やかか否かを判断することをいう。なお、図７では、登録済みコンテンツ２の開示情報が新規登録コンテンツの開示情報より緩やかである。
【００８４】
開示情報変更とは、類似コンテンツ検索で検索された登録済みコンテンツ１と、登録済みコンテンツ２と、登録済みコンテンツｎのうちで、開示情報が付加されている登録済みコンテンツ２と、登録済みコンテンツｎのうちで、開示情報が新規登録コンテンツの開示情報より緩やかである、登録済みコンテンツ２の開示情報を、新規登録コンテンツに付加された開示情報と同じになるよう変更することをいう。
【００８５】
開示情報が緩やかなコンテンツは、開示情報の更新がなされていない可能性が高く、そのままではコンテンツを見せたくない人にまでコンテンツの閲覧を許可してしまうことになるため、このようなコンテンツについては開示情報を更新することで対応可能である。
【００８６】
以下に、本実施の形態によるコンテンツ管理システムの処理動作について、図を参照して説明する。
【００８７】
まず、類似コンテンツ検索部が、新規登録コンテンツのメタ情報と、登録済みコンテンツのメタ情報を元に、類似する登録済みコンテンツのメタ情報を検索する。
【００８８】
開示情報が付加されていない登録済みコンテンツである登録済みコンテンツ１に、新規登録コンテンツに付加されたのと同じ内容の開示情報を付加し、新規登録コンテンツの開示情報より緩やかな開示情報が付加されている登録済みコンテンツである登録済みコンテンツ２の開示情報の内容を、新規登録コンテンツに付加されたのと同じになるように変更する。
【００８９】
ここで、新規登録コンテンツの開示情報より厳しい開示情報が付加されている登録済みコンテンツである登録済みコンテンツ３の開示情報は変更しない。
【００９０】
上記の実施の形態によれば、開示情報が付加されていない登録済みコンテンツと新規登録コンテンツより緩やかな開示情報が付加されている登録済みコンテンツのみ開示情報を変更することで、より制限する方向にのみ開示情報の変更を行なうことによって、システムが管理するコンテンツ全体が不用意に公開されることを防ぐことができる。
【００９１】
次に、本発明の第５の実施の形態について図を参照して詳細に説明する。なお、上記の実施の形態と共通する構成の重複する説明は省略する。
【００９２】
開示情報変更受信とは、登録済みコンテンツの開示情報の変更の指示を受け取ることをいう。図８は、登録済みコンテンツ２の開示情報を変更する指示を受けた状態を示すものである。
【００９３】
開示情報変更とは、開示情報の変更を指示された登録済みコンテンツ２の開示情報を、指示されたように変更することをいう。
【００９４】
類似コンテンツ検索とは、開示情報の変更を指示された登録済みコンテンツ２のメタ情報を元に、他の登録済みコンテンツの中から内容が類似しているコンテンツを検索することをいう。図８では、登録済みコンテンツ１が開示情報の変更を指示された登録済みコンテンツ２と類似したコンテンツとして検索されたものとする。
【００９５】
開示情報取得とは、開示情報の変更を指示された登録済みコンテンツ２に付加された開示情報を取得することをいう。
【００９６】
開示情報変更とは、類似コンテンツ検索で検索された登録済みコンテンツ１の開示情報を、開示情報の変更を指示された登録済みコンテンツ２に付加された開示情報と同じになるよう変更することをいう。
【００９７】
以下に、本実施の形態によるコンテンツ管理システムの処理動作について、図を参照して説明する。
【００９８】
まず、開示情報を変更した登録済みコンテンツである登録済みコンテンツ２のメタ情報から類似コンテンツ検索部が類似する登録済みコンテンツのメタ情報を検索する。
【００９９】
その後、開示情報取得部が開示情報を変更した登録済みコンテンツの開示情報を取得し、開示情報変更部が類似する登録済みコンテンツの開示情報の内容を開示情報を変更した登録済みコンテンツの開示情報と同じになるように変更する。
【０１００】
上記の実施の形態によれば、登録済みコンテンツの開示情報の変更時に、他の登録済みコンテンツの開示情報を変更することで、あらかじめシステムに登録されているあるコンテンツの開示情報の変更を通じて類似するすべてのほかのコンテンツの開示情報を自動的に変更できるため、全体的な開示情報の修正を少ない作業量で容易に行なうことができる。
【０１０１】
また、あるコンテンツの内容について以前よりも強い開示制限をかけたい場合に、ひとつのコンテンツの開示情報を強化すると類似する別のコンテンツの開示情報も自動的に強化される。
【０１０２】
なお、上述する各実施の形態は、本発明の好適な実施の形態であり、本発明の要旨を逸脱しない範囲内において種々変更実施が可能である。例えば、上記の各実施の形態におけるシステムの機能を実現するためのプログラムを各部等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【０１０３】
さらに各機能が１つの情報処理装置として実現されている構成や機能毎に複数のサーバ装置等が追加された構成にも適用可能であることはもちろんである。
【図面の簡単な説明】
【０１０４】
【図１】本発明の第１の実施の形態におけるコンテンツ管理システムの概略構成図である。
【図２】コンテンツの新規登録画面の一例を示す図である。
【図３】コンテンツの開示情報の付加画面の一例を示す図である。
【図４】コンテンツの検索結果等を通知する画面の一例を示す図である。
【図５】本発明の第２の実施の形態におけるコンテンツ管理システムの概略構成図である。
【図６】本発明の第３の実施の形態におけるコンテンツ管理システムの概略構成図である。
【図７】本発明の第４の実施の形態におけるコンテンツ管理システムの概略構成図である。
【図８】本発明の第５の実施の形態におけるコンテンツ管理システムの概略構成図である。
【図１】
2006343799.tif 000003
【図２】
2006343799.tif 000004
【図３】
2006343799.tif 000005
【図４】
2006343799.tif 000006
【図５】
2006343799.tif 000007
【図６】
2006343799.tif 000008
【図７】
2006343799.tif 000009
【図８】
2006343799.tif 000010